(57)【要約】      （修正有）【課題】  装置構成の単純化及び組付作業の容易化を図れる気密キャップ装置の提供。【解決手段】  開口を有する外キャップ１１、及び、外キャップ１１内において軸線方向に移動可能に収容された内筒１２からなるキャップ１と、外キャップ１１内に収容され内筒１２を開口側に付勢する弾性体１２ａとを備え、キャップ１を本体２にその先端部を覆うように装着したとき、弾性体１２ａの原形復帰力により、弁体２２を弁座２１に押し付け内筒１２が開口側に付勢され外キャップ１１に密着することにより、キャップ１内の気密を確保する気密キャップ装置であって、弾性体１２ａは、内筒１２の側壁に切り欠き穴２４を設けることにより形成されているものである。【選択図】  図１
2006314478.tif 000002
【特許請求の範囲】
【請求項１】
開口を有する外キャップ、及び、該外キャップ内において軸線方向に移動可能に収容された内筒からなるキャップと、
前記外キャップ内に収容され前記内筒を開口側に付勢する弾性体とを備え、
前記キャップを本体にその先端部を覆うように装着したとき、前記弾性体の原形復帰力により、前記内筒が開口側に付勢され該外キャップ又は該本体に密着することにより、前記キャップ内の気密を確保する気密キャップ装置であって、
前記弾性体は、前記内筒の側壁に切り欠き穴を設けることにより形成されていることを特徴とする気密キャップ装置。
【請求項２】
前記キャップ内の気密は、前記本体に前記キャップを装着し該本体の外周を前記内筒の前記切り欠き穴よりも開口側の内周に密着するとともに、前記弾性体の原形復帰力により、該内筒の外周を前記外キャップの内周に密着させることにより確保されることを特徴とする請求項１に記載の気密キャップ装置。
【請求項３】
前記キャップ内の気密は、前記内筒に隔壁を設けるとともに、前記弾性体の原形復帰力により、該内筒の内周を前記本体の外周に密着させることにより確保されることを特徴とする請求項１に記載の気密キャップ装置。
【請求項４】
前記内筒に形成された前記隔壁は、前記弾性体の内側に挿入されていることを特徴とする請求項３に記載の気密キャップ装置。
【発明の詳細な説明】
【技術分野】
【０００１】
本発明は、例えばブラシペン等のペン型化粧品本体、筆記具本体その他の本体内に充填される固形化粧料や顔料等の揮発性内容物の乾燥固化を防止する目的で用いられる気密キャップ装置に関する。
【背景技術】
【０００２】
従来の気密キャップ装置としては、例えば側壁において全周に亘って形成される弁座を有する外キャップ、及び、外キャップ内において、外キャップと同じ方向に開口しつつ軸線方向に移動可能に収容され、側壁において全周に亘って形成され弁座に対向する部位に設けられる弁体を有しており、内キャップ内の空間及び内キャップ外の空間かつ外キャップ内の空間を連通させる連通孔が形成された内キャップからなり、先端部を覆うようにペン型化粧品本体に装着されるキャップと、内キャップ及び外キャップの間に介在され、内キャップを外キャップの開口側に付勢するための弾性体とを備えた気密キャップ装置であって、キャップ内の気密が、弾性体の原形復帰力により、内キャップの弁体を外キャップの弁座に押し付けて密着させることにより確保されるものが開示されている（例えば、特許文献１参照）。
【特許文献１】特開２００１−２５２１３１号公報  このような気密キャップ装置によれば、ペン型化粧品本体の先端部を内キャップ内に押し込むことによりペン型化粧品本体の外周を内キャップの内周に密着させるに当たって、内キャップ内の空気を連通孔及び弁体と弁座の隙間を通じてキャップ外に吐き出すことが可能となっているので、ペン型化粧品本体をキャップに装着する際にキャップ内の空気圧の上昇を生じさせないことが可能となっており、その結果、キャップ内の空気圧の上昇に抗してキャップを装着する作業の困難性を低減することが可能となっており、かかる空気圧の上昇により本体がキャップから浮き上がり、十分な気密状態を確保できないという所謂ポンプ現象を生じさせない効果が担保されることとなる。
【発明の開示】
【発明が解決しようとする課題】
【０００３】
しかしながら、このような気密キャップ装置では、外キャップ及び内キャップというキャップの二重構造が必要とされることに加え、内キャップを外キャップの開口側に付勢するための弾性体を内キャップ及び外キャップの間に別個独立の部品として有する構成であること、また、別個独立の部品たる弾性体の原形復帰力を確実に作用させるには組付作業に相当の注意を要することから、装置構成の複雑化及び組付作業の煩雑化を余儀なくされ、これにより製造コストが嵩む事態を招いていた。
【０００４】
そこで、本発明の課題は、製造コストの低減効果が十分に得られるように、装置構成の単純化及び組付作業の容易化を図ることができる気密キャップ装置を提供することにある。
【課題を解決するための手段】
【０００５】
上記課題を解決するため、本発明に係る気密キャップ装置は、開口を有する外キャップ、及び、外キャップ内において軸線方向に移動可能に収容された内筒からなるキャップと、外キャップ内に収容され内筒を開口側に付勢する弾性体とを備え、キャップを本体にその先端部を覆うように装着したとき、弾性体の原形復帰力により、内筒が開口側に付勢され外キャップ又は本体に密着することにより、キャップ内の気密を確保する気密キャップ装置であって、弾性体は、内筒の側壁に切り欠き穴を設けることにより形成されていることを特徴としている。
【０００６】
このような気密キャップ装置によれば、弾性体が内筒の側壁に切り欠き穴を設けて形成されており、別個独立の部品として構成されていないので、部品点数の減少を通じて装置構成の単純化及び組付作業の容易化を図ることが可能となり、その結果、製造コストの低減効果が十分に得られることとなる。
【０００７】
このような気密キャップ装置において、所謂ポンプ現象を確実に生じさせないようにして、キャップ内の気密を確保するという本装置の基本的機能を担保しようとする観点からすれば、キャップ内の気密は、本体にキャップを装着し本体の外周を内筒の切り欠き穴よりも開口側の内周に密着するとともに、弾性体の原形復帰力により、内筒の外周を外キャップの内周に密着させることにより確保されることが好ましい。
【０００８】
また、同様な観点からすれば、キャップ内の気密は、内筒に隔壁を設けるとともに、弾性体の原形復帰力により、内筒の内周を本体の外周に密着させることにより確保されることが好ましい。
【０００９】
この場合において、本体にキャップを装着したとき、本体と弾性体とが部分的にラップするようにして、装置の全長を可及的に短くしようとする観点からすれば、内筒に形成された隔壁は、弾性体の内側に挿入されていることが好ましい。
【００１０】
なお、本発明において、本体又は内筒の外周とは、本体又は内筒の端面をも包含する概念であり、外キャップ又は内筒の内周とは、外キャップ又は内筒の端面をも包含する概念である。
【００１１】
また、隔壁とは、内筒を横断する方向に設けられた壁をいい、平板状のものに限らず、縦断面視でＵ字状に形成されるものなども用いることが可能である。
【００１２】
さらに、このような気密キャップ装置の材質としては、熱可塑性樹脂、例えば低密度ポリエチレン（ＬＤＰＥ）、直鎖低密度ポリエチレン（ＬＬＤＰＥ）、高密度ポリエチレン（ＨＤＰＥ）、ポリプロピレン（ＰＰ）や、熱可塑性エラストマー、例えばポリウレタン系エラストマー（ＴＰＵ）、ポリオレフィン系エラストマー（ＴＰＯ）、ポリエステル系エラストマー（ＴＰＥＥ）や、熱硬化性ゴム、例えばシリコンゴム（Ｓｉ）、ニトリルゴム（ＮＢＲ）、ブチルゴム（ＩＩＲ）などの中から適宜選定して用いることが可能である。
【発明の効果】
【００１３】
本発明に係る気密キャップ装置によれば、部品点数の減少を通じて装置構成の単純化及び組付作業の容易化を図ることができ、製造コストの低減効果が十分に得られることとなる。
【発明を実施するための最良の形態】
【００１４】
以下、添付図面に基づいて本発明の実施の形態を詳細に説明する。
【００１５】
＜実施の形態１＞
図１は本発明の実施の形態１に係る気密キャップ装置の全体構成及び作用を示す縦断面図（アイブローペンシルの装着前）、図２は同気密キャップ装置の全体構成及び作用を示す縦断面図（アイブローペンシルの装着時）、図３は同気密キャップ装置の全体構成及び作用を示す縦断面図（アイブローペンシルの装着後）、図４は同気密キャップ装置の構成要素たる内筒を示す斜視図、図５は同内筒を示す断面図、図６は同内筒を示す側面図、図７は図６のＡ−Ａ断面図である。
【００１６】
この実施の形態１において、気密キャップ装置は、ペン型化粧品本体であって眉の型を修正したり整えることを可能とする化粧用鉛筆（以下、アイブローペンシルという）の筒状の木軸内に充填される揮発性内容物たる固形化粧料の乾燥固化を防止する目的で用いられるものである。
【００１７】
そして、この気密キャップ装置は、図１〜図３に示すように、外キャップ１１及び側壁に弾性体１２ａが形成された内筒１２からなるキャップ１を備えたものとして構成されている。
【００１８】
以下、これらの各構成要素についてさらに詳細に説明する。
【００１９】
（１）キャップ１
キャップ１は、図２及び図３に示すように、アイブローペンシル２の先端部、つまり、揮発性内容物たる固形化粧料が露出する部分を覆うようにアイブローペンシル２に装着されるものとして構成されている。
【００２０】
そして、キャップ１は、図１〜図３に示すように、外キャップ１１と、内筒１２とからなるものとして構成されている。
【００２１】
外キャップ１１は、これらの図に示すように、側壁において全周に亘って形成される弁座２１を有するものである。
【００２２】
このような外キャップ１１により、内筒１２がアイブローペンシル２から反力を得て外キャップ１１との間で押し潰した弾性体１２ａの原形復帰力を通じて内筒１２を外キャップ１１の開口側に付勢することにより、弁座２１に後述する内筒１２の側壁において全周に亘って形成される弁体２２を押し付けて密着させることが可能となっており、その結果、キャップ１内の気密を確保するというこの実施の形態１に係る気密キャップ装置の基本的機能を担保することが可能となっている。
【００２３】
一方、内筒１２は、図１〜図３に示すように、外キャップ１１内において軸線方向に摺動可能に収容されたものとして構成されている。
【００２４】
そして、内筒１２は、図４〜図７に示すように、側壁において全周に亘って形成された弁体２２を有するものである（図１〜図３も参照）。
【００２５】
ここで、内筒１２における弁体２２は、図１〜図３に示すように、外キャップ１１における弁座２１に対向する部位に設けられている。
【００２６】
このような内筒１２により、アイブローペンシル２にキャップ１を装着することによりアイブローペンシル２の外周を内筒１２の切り欠き穴２４よりも外キャップ１１の開口側の内周に密着させることが可能となっている。
【００２７】
加えて、内筒１２がアイブローペンシル２から反力を得て外キャップ１１との間で押し潰した弾性体１２ａの原形復帰力を通じて外キャップ１１の開口側に付勢されることにより、内筒１２の側壁において全周に亘って形成される弁体２２を前述した外キャップ１１の側壁において全周に亘って形成される弁座２１に押し付けて密着させることが可能となっており、その結果、所謂ポンプ現象を確実に生じさせないようにしながらキャップ１内の気密を確保するというこの実施の形態１に係る気密キャップ装置の基本的機能を担保することが可能となっている。
【００２８】
さらに、内筒１２は、図１〜図５に示すように、内筒１２内の空間のうち弾性体１２ａよりも外キャップ１１の開口側の空間及び弾性体１２ａ内の空間を互いに連通させる連通孔２３が形成されたものとして構成されている。
【００２９】
このような内筒１２により、アイブローペンシル２の先端部を内筒１２内に押し込むことによりアイブローペンシル２の外周を内筒１２の内周に密着させるに当たって、連通孔２３及び弁体２２と弁座２１の隙間を通じて内筒１２内の空気をキャップ１外に吐き出すことが可能となっており、その結果、アイブローペンシル２をキャップ１に装着する際に内筒１２内の空気圧の上昇（所謂ポンプ現象）を確実に生じさせないことが可能となっている。
【００３０】
そして、この実施の形態１における内筒１２の側壁には、螺旋状を呈する切り欠き穴２４を設けることにより弾性体１２ａが形成されている。
【００３１】
このように、内筒１２にその側壁に弾性体１２ａを形成することを要求するのは、内筒の他に弾性体を別個独立の部品として設けることを回避することにより、部品点数の減少を通じて装置構成の単純化及び組付作業の容易化を図ることが可能な気密キャップ装置とするためである。したがって、このような役割を果たすものであれば、本発明において螺旋状の切り欠き穴２４が設けられた側壁を有する内筒１２の代わりに、螺旋状を呈しない切り欠き穴が設けられた側壁を有するその他の内筒を用いてもよい。
【００３２】
（２）弾性体１２ａ
弾性体１２ａは、図１〜図３に示すように、外キャップ１１内に収容され、内筒１２を外キャップ１１の開口側に付勢することにより弁体２２を弁座２１に押し付けて密着させる機能を果たすものとして構成されている。
【００３３】
そして、この実施の形態１における弾性体１２ａは、図４〜図７に示すように、内筒１２の側壁に螺旋状を呈する切り欠き穴２４を設けることにより形成されている。
【００３４】
このように、弾性体１２ａに内筒１２の側壁に形成されることを要求するのは、弾性体１２ａを内筒１２の他に別個独立の部品として設けることを回避することにより、部品点数の減少を通じて装置構成の単純化及び組付作業の容易化を図ることが可能な気密キャップ装置とするためである。したがって、このような役割を果たすものであれば、本発明において内筒１２の側壁に螺旋状を呈する切り欠き穴２４を形成してなる弾性体１２ａの代わりに、内筒１２の側壁に螺旋状を呈しない切り欠き穴を形成してなる弾性体その他の弾性体を用いることが可能である。
【００３５】
なお、このような内筒１２の側壁に切り欠き穴２４を形成してなる弾性体１２ａによっても、別個独立の部品として設けられる従来の弾性体と同様、軸線方向において原形復帰力を確実に発揮させることが可能となっている。つまり、このような弾性体１２ａによっても、内筒１２の側壁において全周に亘って形成される弁体２２を前述した外キャップ１１の側壁において全周に亘って形成される弁座２１に押し付けて密着させることが可能となっており、その結果、キャップ１内の気密を確保するというこの実施の形態１に係る気密キャップ装置の基本的機能を担保することが可能となっている。
【００３６】
上記したように、この実施の形態１における気密キャップ装置によれば、弾性体１２ａが、別個独立の部品として設けられておらず、内筒１２の側壁に形成されているので、部品点数の減少を通じて装置構成の単純化及び組付作業の容易化を図ることが可能となっており、その結果、製造コストの低減効果が十分に得られることが可能となっている。
【００３７】
＜実施の形態２＞
図８は本発明の実施の形態２に係る気密キャップ装置の全体構成及び作用を示す縦断面図（ブラシペンの装着前）、図９は同気密キャップ装置の全体構成及び作用を示す縦断面図（ブラシペンの装着後）、図１０は同気密キャップ装置の構成要素たる内筒１２を示す斜視図、図１１は同内筒を示す断面図、図１２は同内筒を示す側面図、図１３は図１２のＡ−Ａ断面図である。なお、実施の形態１と同様な構成要素については実施の形態１と同様な符号を付してここではその詳細な説明を省略する。
【００３８】
この実施の形態２における気密キャップ装置は、ペン型化粧品本体であって液状化粧料を適宜押し出して塗布することを可能とするピストン押出式のブラシ付き液状化粧料用容器（以下、ブラシペンという）の筒状の軸体内に充填される揮発性内容物たる液状化粧料の乾燥固化を防止する目的で用いられる。
【００３９】
すなわち、この実施の形態２に係る気密キャップ装置の基本的構成は、図８及び図９に示すように、ブラシペン３内に充填された揮発性内容物（図示外）の乾燥固化を防止するものである点で実施の形態１とほぼ同様である。
【００４０】
しかし、この気密キャップ装置は、実施の形態１と異なり、ブラシペン３が、内筒１２の隔壁２５よりも外キャップ１１の開口側の内周に密着すべき外周、つまり、先端に向かって徐々に先細りになる図９に示すようなテーパ部３１を有している。そして、キャップ１内の気密は、内筒１２に隔壁２５を設けるとともに、外キャップ１１がブラシペン３から直接反力を得て内筒１２との間で押し潰した弾性体１２ａの原形復帰力により、内筒１２の隔壁２５よりも外キャップ１１の開口側の内周、つまり、内筒１２の弁体２２をブラシペン３のテーパ部３１に押し付けて密着させることにより確保されている。
【００４１】
ここで、隔壁２５は、内筒１２の内周をブラシペン３の外周に密着させた場合に内筒１２内の気密を確保し得るように、内筒１２及びブラシペン３の密着部分よりも先端側において縦断面視で外キャップ１１の開口と同じ方向に開口するＵ字状を形成するとともに内筒１２を横断する方向に設けられたものとして構成されている。
【００４２】
このような実施の形態２において、外キャップ１１は、図９に示すように、外キャップ１１の内周に数箇所形成される凸部３２をブラシペン３の外周に全周に亘って形成される環状凹部３３に（又は外キャップの内周に全周に亘って形成される環状凹部をブラシペンの外周に数箇所形成される凸部に）嵌合させることにより、直接ブラシペン３から反力を得ることとしている。
【００４３】
したがって、この実施の形態２に係る気密キャップ装置によっても、実施の形態１と同様、所謂ポンプ現象を確実に回避しながらキャップ１内の気密を確保するという実施の形態２に係る気密キャップ装置の基本的機能が担保されているとともに、弾性体１２ａが内筒１２の側壁に切り欠き穴２４を設けて形成されているので、部品点数の減少を通じて装置構成の単純化及び組付作業の容易化を図ることが可能となっており、ひいては製造コストの低減効果が十分に得られることになっている。
【００４４】
一方、この実施の形態２において、内筒１２に形成された隔壁２５は、図１０〜図１３に示すように、弾性体１２ａの内側に挿入されたものとして構成されている。具体的には、隔壁２５は、これらの図に示すように、外キャップ１１の開口側と同じ方向に開口しブラシペン３の先端部の収容を可能とする先端側部分を有するキャップ形状に形成されており、この先端側部分が弾性体１２ａの内側に挿入されている。
【００４５】
したがって、この実施の形態２に係る気密キャップ装置によれば、内筒１２に隔壁２５を設けてキャップ１内の気密を確保する場合において、アイブローペンシル２にキャップ１を装着したとき、アイブローペンシル２と弾性体１２ａとを部分的にラップさせることが可能となっており、その結果、装置の全長を相当に短くすることが可能となっている。
【００４６】
以上、本実施の形態においては、ブラシペンやアイブローペンシルといったブラシペンに適用する場合について説明したが、本発明は、このような実施の形態に限定されるものではない。固体や液体等の揮発性内容物の乾燥固化を防止する目的で用いられるものである限り、化粧品に限定されず筆記具、医薬品その他の本体に広く適用可能である。
【図面の簡単な説明】
【００４７】
【図１】本発明の実施の形態２に係る気密キャップ装置の全体構成及び作用を示す縦断面図（アイブローペンシルの装着前）である。
【図２】同気密キャップ装置の全体構成及び作用を示す縦断面図（アイブローペンシルの装着時）である。
【図３】同気密キャップ装置の全体構成及び作用を示す縦断面図（アイブローペンシルの装着後）である。
【図４】同気密キャップ装置の構成要素たる内筒を示す斜視図である。
【図５】同内筒を示す断面図である。
【図６】同内筒を示す側面図である。
【図７】図６のＡ−Ａ断面図である。
【図８】本発明の実施の形態２に係る気密キャップ装置の全体構成及び作用を示す縦断面図（ブラシペンの装着前）である。
【図９】同気密キャップ装置の全体構成及び作用を示す縦断面図（ブラシペンの装着後）である。
【図１０】同気密キャップ装置の構成要素たる内筒を示す斜視図である。
【図１１】同内筒を示す断面図である。
【図１２】同内筒を示す側面図である。
【図１３】図６のＡ−Ａ断面図である。
【符号の説明】
【００４８】
１ キャップ
２ アイブローペンシル
３ ブラシペン
１１ 外キャップ
１２ 内筒
１２ａ 弾性体
２１ 弁座
２２ 弁体
２３ 連通孔
２４ 切り欠き穴
２５ 隔壁
３１ テーパ部
３２ 凸部
３３ 環状凹部
【図１】
2006314478.tif 000003
【図２】
2006314478.tif 000004
【図３】
2006314478.tif 000005
【図４】
2006314478.tif 000006
【図５】
2006314478.tif 000007
【図６】
2006314478.tif 000008
【図７】
2006314478.tif 000009
【図８】
2006314478.tif 000010
【図９】
2006314478.tif 000011
【図１０】
2006314478.tif 000012
【図１１】
2006314478.tif 000013
【図１２】
2006314478.tif 000014
【図１３】
2006314478.tif 000015